(57)【特許請求の範囲】
【請求項１】
冷媒が流れる冷媒回路と、
前記冷媒回路を流れる前記冷媒の漏洩を検出する冷媒漏洩検出部と、
前記冷媒の漏洩以外の異常を検出する異常検出部と、
前記冷媒漏洩検出部が前記冷媒の漏洩を検出した冷媒漏洩状態であると共に前記異常検出部が前記異常を検出した異常状態である場合、前記冷媒漏洩状態と前記異常状態とを表示部に共に表示させる表示制御部とを備え、
前記表示制御部は、前記異常状態を前記表示部に文字で表示させ、かつ、前記異常状態であると共に前記冷媒漏洩状態である場合に表示される前記文字を、前記異常状態であると共に前記冷媒漏洩検出部が前記冷媒の漏洩を検出していない場合に表示される前記文字の表示方法と異なる表示方法で表示させることを特徴とする空気調和装置。
【請求項２】
冷媒が流れる冷媒回路と、
前記冷媒回路を流れる前記冷媒の漏洩を検出する冷媒漏洩検出部と、
前記冷媒の漏洩以外の異常を検出する異常検出部と、
前記冷媒漏洩検出部が前記冷媒の漏洩を検出した冷媒漏洩状態であると共に前記異常検出部が前記異常を検出した異常状態である場合、前記冷媒漏洩状態と前記異常状態とを表示部に共に表示させる表示制御部とを備え、
前記表示制御部は、前記異常検出部が検出した前記異常が前記冷媒の漏洩に関連するか否かを判断し、前記冷媒の漏洩に関連すると判断した異常を関連しないと判断した異常状態より優先して前記表示部に表示させることを特徴とする空気調和装置。
【請求項３】
前記表示制御部は、前記異常状態を前記表示部に文字で表示させ、かつ、前記異常状態であると共に前記冷媒漏洩状態である場合に表示される前記文字を、前記異常状態であると共に前記冷媒漏洩検出部が前記冷媒の漏洩を検出していない場合に表示される前記文字の表示方法と異なる表示方法で表示させることを特徴とする請求項２に記載の空気調和装置。
【請求項４】
前記表示制御部は、前記冷媒漏洩状態であると共に前記異常状態である場合、前記表示部の１つの表示画面に前記冷媒漏洩状態と前記異常状態とを表示させることを特徴とする請求項１〜３のいずれか一項に記載の空気調和装置。
【発明の詳細な説明】
【技術分野】
【０００１】
この発明は空気調和装置、特にその異常状態の表示に関するものである。
【背景技術】
【０００２】
冷媒の蒸発による吸熱、凝縮による放熱を利用する冷凍サイクルを用いる空気調和装置において、空気調和装置で発生する異常を検出するセンサを搭載し、センサが異常を検出するとリモコン等に異常の発生を表示するものがある。使用者はリモコン等の表示から異常の発生を把握した場合、異常の対策を行うサービス業者へ連絡することができ、連絡を受けたサービス業者が使用者からの情報に基づいて異常に対する処置を実施する。【０００３】
従来の空気調和装置には、空気調和装置で発生する異常を重要度順に振り分け、重要度が高い異常を優先的に表示するものがあった。空気調和装置で発生する異常の１つには、冷媒の漏洩があるが、冷媒として可燃性冷媒が用いられる空気調和装置においては、冷媒漏洩が最も重要な異常として取り扱われる。【０００４】
このため、空気調和装置には冷媒漏洩を検出した状態である冷媒漏洩状態と、冷媒漏洩以外の異常を検出した異常状態が発生し得る。なお、冷媒漏洩以外の異常には、部品温度の異常や冷媒回路における圧力異常、通信異常等がある。【０００５】
例えば、冷媒漏洩以外の異常を表示している時に冷媒漏洩が発生すると、冷媒漏洩以外の異常よりも重要な冷媒漏洩を優先的に表示させるために、表示が上書きされて冷媒漏洩のみ表示されることになる。【０００６】
このとき、使用者は優先的に表示された冷媒漏洩のみ把握してサービス業者へ連絡することになり、サービス業者は使用者からの連絡に基づき、冷媒漏洩に対する処置を行う。冷媒漏洩に対する処置とは、例えば、冷凍サイクルを構成する冷媒配管の修理等であり、この場合、まず配管内の冷媒を取り出した後に配管修理を行い、改めて配管に冷媒を注入するという手順を踏む。このようにサービス業者は、使用者から冷媒漏洩に関する連絡を受けた後、冷媒漏洩に対して処置を行うことで、冷媒漏洩を解消することができる。【０００７】
しかし、上記のように、冷媒漏洩が解消する前に冷媒漏洩以外の異常が発生していた場合、異常の表示が冷媒漏洩の表示に上書きされているため、使用者及びサービス業者は冷媒漏洩以外の異常を把握することができない。そのため、サービス業者は冷媒漏洩が解消した後に冷媒漏洩以外の異常を把握し、改めて異常に対する処置を行う必要がある。
【先行技術文献】
【特許文献】
【０００８】
【特許文献１】特開２００８−１７００４７
【発明の概要】
【発明が解決しようとする課題】
【０００９】
従来の空気調和装置では、冷媒漏洩状態であると共に異常状態である場合に冷媒漏洩状態のみ表示されるため、使用者がサービス業者に異常状態を連絡することができず、サービス業者が冷媒漏洩に対する処置を実施する際に、異常に対する処置をすることができないという問題があった。【００１０】
本発明は、上記のような課題を解決するためになされたもので、冷媒漏洩状態であると共に異常状態である場合に冷媒漏洩状態と異常状態とを共に把握することができる空気調和装置を得ることを目的とする。
【課題を解決するための手段】
【００１１】
本発明は、冷媒が流れる冷媒回路と、冷媒回路を流れる冷媒の漏洩を検出する冷媒漏洩検出部と、冷媒の漏洩以外の異常を検出する異常検出部と、冷媒漏洩検出部が冷媒の漏洩を検出した冷媒漏洩状態であると共に異常検出部が異常を検出した異常状態である場合に、冷媒漏洩状態と異常状態とを表示部に共に表示させる表示制御部とを備え、表示制御部は、異常状態を表示部に文字で表示させ、かつ、異常状態であると共に冷媒漏洩状態である場合に表示される文字を、異常状態であると共に冷媒漏洩検出部が冷媒の漏洩を検出していない場合に表示される記文字の表示方法と異なる表示方法で表示させるものである。
また、本発明は、冷媒が流れる冷媒回路と、冷媒回路を流れる前冷媒の漏洩を検出する冷媒漏洩検出部と、冷媒の漏洩以外の異常を検出する異常検出部と、冷媒漏洩検出部が冷媒の漏洩を検出した冷媒漏洩状態であると共に異常検出部が異常を検出した異常状態である場合、冷媒漏洩状態と異常状態とを表示部に共に表示させる表示制御部とを備え、表示制御部は、異常検出部が検出した異常が冷媒の漏洩に関連するか否かを判断し、冷媒の漏洩に関連すると判断した異常を関連しないと判断した異常状態より優先して表示部に表示させることを特徴とするものである。
【発明の効果】
【００１２】
本発明に係る空気調和装置によれば、冷媒漏洩状態と異常状態とを表示部に共に表示させるため、使用者が冷媒漏洩状態と異常状態とを同時に確認することができる。
【図面の簡単な説明】
【００１３】
【図１】実施の形態１における空気調和装置の概略構成を示す構成図
【図２】空気調和装置１００における室外機制御部及び室内機制御部の構成を示す構成図
【図３】実施の形態１に係る表示画面の例を示す説明図
【図４】実施の形態１に係るリモコンの正面図
【図５】表示制御部で実行される表示制御処理を示すフローチャート
【図６】実施の形態１に係る表示画面の例を示す説明図
【図７】実施の形態１に係る表示画面の例を示す説明図
【図８】実施の形態１に係る表示画面の例を示す説明図
【図９】実施の形態２に係る表示画面の例を示す説明図
【図１０】実施の形態２に係る表示画面の例を示す説明図
【図１１】実施の形態２に係る表示画面の例を示す説明図
【図１２】実施の形態２に係る表示画面の例を示す説明図
【図１３】実施の形態４における空気調和装置の概略構成を示す構成図
【発明を実施するための形態】
【００１４】
実施の形態１．
以下、本発明の実施の形態について説明する。図１は本発明の実施の形態１における空気調和装置の概略構成を示す構成図である。実施の形態１では、１つの室外機１に１つの室内機２が接続された空気調和装置１００について説明する。
【００１５】
空気調和装置１００は、熱源ユニットとしての室外機１と、負荷ユニットとしての室内機２を備え、室外機１及び室内機２の内部に、冷媒を循環させる冷媒回路が設けられている。冷媒回路は、冷媒が循環するものであり、冷媒の蒸発による吸熱、凝縮による放熱を利用して冷凍サイクルを形成する。冷媒回路は、圧縮機１１と、室外機側熱交換器１２と、減圧装置１３と、室内機側熱交換器１４とを備え、これらが冷媒配管により接続されることで形成される。冷媒回路は、室外機の内部に設けられた室外機側冷媒回路１０ａと、室内機の内部に設けられた室内機側冷媒回路１０ｂとで構成され、室外機側冷媒回路１０ａと室内機側冷媒回路１０ｂとは延長配管１８ａ、１８ｂにより接続される。つまり、室外機１と室内機２は冷媒配管である延長配管１８ａ、１８ｂにより接続される。
【００１６】
冷媒回路を循環する冷媒として、例えばＲ２９０やＲ１２７０等の強燃レベルの可燃性を有する強燃性冷媒、Ｒ３２やＨＦＯ−１２３４ｙｆ、ＨＦＯ−１２３４ｚｅ等の可燃性を有する微燃性冷媒がある。以下、可燃性を有する冷媒を可燃性冷媒と称する。これらの冷媒は単一冷媒を用いるものでも良いし、２種類以上が混合された混合冷媒を用いるものでも良い。また、冷媒としては、例えばＲ２２，Ｒ４１０Ａ等の不燃性冷媒も用いることもできる。
【００１７】
室外機１の構成を説明する。室外機１は、室外機側冷媒回路１０ａと、室外機送風手段２０と、空気調和装置１００の内部の状態を検知するセンサとしての温度センサ４０ａ、電流センサ４０ｂ、圧力センサ４０ｃと、冷媒漏洩センサ４１と、室外機制御部５１と、室外機表示部７０とを備える。
【００１８】
室外機側冷媒回路１０ａは、圧縮機１１と、室外機側熱交換器１２と、減圧装置１３と、冷媒流路切替装置１５とを備え、冷媒配管として吸入配管１６ａと、吐出配管１６ｂと、室外機配管１７ａ、１７ｂ、１７ｃを備える。また、室外機側冷媒回路１０ａには、延長配管接続バルブ３０ａ、３０ｂと、サービス口３１ａ、３１ｂ、３１ｃと、継手部３２ａ、３２ｃが設けられる。
【００１９】
圧縮機１１は、吸入した低圧冷媒を圧縮し、高圧冷媒として吐出するものである。室外機側熱交換器１２は、冷房運転時には凝縮器として機能し、暖房運転時には蒸発器として機能する熱交換器である。減圧装置１３は、高圧冷媒を減圧して低圧冷媒とするものである。減圧装置１３としては、例えば開度を調節可能な電磁膨張弁などが用いられる。
【００２０】
冷媒流路切替装置１５は、冷房運転時と暖房運転時とで冷媒流路内部を流れる冷媒の流れ方向を切替えることができる。冷媒流路切替装置１５には、例えば四方弁が用いられる。ここで、冷房運転とは、室内機側熱交換器１４に低温低圧の冷媒を供給する運転のことであり、暖房運転とは、室内機側熱交換器１４に高温高圧の冷媒を供給する運転のことである。
【００２１】
室外機配管１７ａは、室外機１と室内機２とを接続する延長配管１８ａと、冷媒流路切替装置１５を接続するものである。吸入配管１６ａは、冷媒流路切替装置１５と圧縮機１１の吸入口に接続されるものである。吸入配管１６ａには、冷房時及び暖房時のいずれにおいても、低温低圧のガス冷媒又は二相冷媒が流れる。吐出配管１６ｂは、圧縮機１１の吐出口に接続され、冷媒流路切替装置１５を介して室外機側熱交換器１２と接続されるものである。吐出配管１６ｂには、冷房運転時及び暖房運転時のいずれにおいても、圧縮機１１で圧縮された高温高圧のガス冷媒が流れる。室外機配管１７ｂは、室外機側熱交換器１２と減圧装置１３とを接続するものである。室外機配管１７ｃは、減圧装置１３と延長配管１８ａを繋ぐものである。
【００２２】
室外機配管１７ａと延長配管１８ａとは延長配管接続バルブ３０ａを介して接続されている。延長配管接続バルブ３０ａは、開放及び閉止の切替が可能な二方弁で構成されている。また、延長配管接続バルブ３０ａの延長配管１８ａ側には継手部３２ａが設けられ、延長配管接続バルブ３０ａと延長配管１８ａが接続されている。
【００２３】
室外機配管１７ｃと延長配管１８ｂとは延長配管接続バルブ３０ｂを介して接続されている。延長配管接続バルブ３０ａ、３０ｂは、開放及び閉止の切替が可能な三方弁で構成されている。また、延長配管接続バルブ３０ｂの延長配管１８ｂ側には、サービス口３１ｃ及び継手部３２ｂが設けられている。サービス口３１ｃは、冷媒回路に冷媒を充填する前作業である真空引きの際に使用するものである。
【００２４】
吸入配管１６ａには、低圧側のサービス口３１ａが設けられており、吐出配管１６ｂには、高圧側のサービス口３１ｂが設けられている。サービス口３１ａ、３１ｂは、空気調和装置１００の据付け時や修理時の試運転の際に、圧力計を接続して運転圧力を計測するために使用される。
【００２５】
室外機送風手段２０は、室外機側熱交換器１２に対向して配置され、室外機側熱交換器１２に室外空気を送風するものである。室外機側熱交換器１２では、冷媒回路内部を流通する冷媒と室外機送風手段２０により送風された室外空気との熱交換が行われる。
【００２６】
室外機１の内部には、室外機制御部５１に接続される温度センサ４０ａ、電流センサ４０ｂ、圧力センサ４０ｃが設けられている。これらのセンサは、空気調和装置１００の内部の種々の状態を検知するものであり、図１の空気調和装置１００では、室外機１に吸い込まれる室外空気の温度を検出する温度センサ４０ａ、圧縮機１１を流れる電流を検出する電流センサ４０ｂ、圧縮機１１内の冷媒の圧力を検出する圧力センサ４０ｃ、を設けている。なお、室外機１内部に設けられるセンサはこれらに限るものではなく、空気調和装置１００の内部の種々の状態を検知するものであればよい。これらのセンサの検出結果は、空気調和装置１００を適切に制御するために用いられるとともに、空気調和装置１００の異常を検出するために用いられる。
【００２７】
また、室外機１の内部には、冷媒漏洩センサ４１が設けられている。冷媒漏洩センサ４１は、例えば半導体式ガスセンサ等の通電式ガスセンサが用いられる。冷媒漏洩センサ４１は冷媒配管からの冷媒漏洩を検出するものであるため、冷媒配管の接続部分や継手部付近に設けられる。大気圧下において空気よりも大きい密度を有する冷媒を用いる場合、冷媒漏洩センサ４１は室外機側冷媒回路１０ａよりも下方に取り付けることが好ましい。
【００２８】
次に、図２に基づいて室外機制御部５１の構成について説明する。図２は空気調和装置１００における室外機制御部５１及び室内機制御部６１の構成を示す構成図である。
室外機制御部５１は室外機１の内部に設けられ、温度センサ４０ａ、電流センサ４０ｂ、圧力センサ４０ｃ、冷媒漏洩センサ４１及び、圧縮機１１、減圧装置１３、冷媒流路切替装置１５、室外機送風手段２０等の空気調和装置１００を動作させる部品を含む室外機アクチュエータ２３に接続されている。
また、室外機制御部５１は、温度センサ４０ａ、電流センサ４０ｂ、圧力センサ４０ｃが接続される異常検出部５２と、冷媒漏洩センサ４１が接続される冷媒漏洩検出部５３と、運転制御部５４と、記録部５５と、タイマー５６と、表示制御部５７を備える。
【００２９】
異常検出部５２は運転制御部５４に接続される。冷媒漏洩検出部５３は運転制御部５４に接続される。運転制御部５４は、空気調和装置１００全体の動作を制御するものであり、室外機アクチュエータ２３、室内機２に設けられた室内機制御部６１と接続されている。また、運転制御部５４は室外機表示部７０の表示を制御する表示制御部５７と接続されている。
【００３０】
表示制御部５７は、室外機表示部７０及び室内機表示部８１の表示を制御するものであり、記録部５５に接続される。記録部５５は、各センサで検出した空気調和装置１００内部の種々の状態、あるいは空気調和装置１００に対する設定温度や室外機アクチュエータ２３の稼働状況等、空気調和装置１００に関する情報を記録している。さらに記録部５５には、異常検出部５２、冷媒漏洩検出部５３で検出した異常の種類に応じて異常コードを対応させた異常コードテーブルが記録されている。また、記録部５５には、タイマー５６が接続されている。
【００３１】
室外機表示部７０は、室外機制御部５１に接続され、表示制御部５７からの信号に基づいて空気調和装置１００の運転状態等を表示する。室外機表示部７０は空気調和装置１００が冷媒漏洩状態でも異常状態でも無く正常に動作している場合、使用者が設定した内容を表示したり空気調和装置１００が行っている運転内容や室内温度等を表示する運転状態表示画面を表示する。
異常検出部５２、あるいは冷媒漏洩検出部５３により異常状態あるいは冷媒漏洩状態が検出されると、表示制御部５７は室外機表示部７０の表示画面を運転状態表示画面から異常表示画面に切り替える制御を行う。図３に異常表示画面の例を示す。室外機表示部７０の異常表示画面は、状態表示領域９０と、時間表示領域９３と、異常発生元表示領域９４を備える。状態表示領域９０には第１表示領域９１と第２表示領域９２が設けられている。第１表示領域９１と第２表示領域９２には、異常を示すコードまたは冷媒漏洩を示すコードが、各領域につき１つ表示される。そのため、冷媒の漏洩状態と異常状態とを表示部に共に表示することができる。
【００３２】
時間表示領域９３には、冷媒漏洩が発生してから経過した時間が表示される。異常発生元表示領域９４には、冷媒漏洩または異常が発生している部分が表示される。例えば、室外機１と室内機２のどちらで発生しているかを表示するものでも良いし、室外機１の圧縮機１１等、具体的な装置や部品を表示するものでも良い。
【００３３】
なお、ここでは室外機表示部７０の表示画面全体が異常表示画面となる例を示したが、正常運転時には運転状態表示画面が表示され、異常あるいは冷媒漏洩が検出されると室外機表示部７０の表示画面を運転状態表示画面と異常表示画面に分割して表示するようにしてもよい。
【００３４】
次に、図１に基づいて室内機２の構成を説明する。室内機２は、室内機側冷媒回路１０ｂと、室内機送風手段２１と、空気調和装置１００の内部の状態を検知するセンサとしての温度センサ４０ｅ、圧力センサ４０ｆと、冷媒漏洩センサ４１と、室内機制御部６１と、リモコン８０を備える。
【００３５】
室内機側冷媒回路１０ｂは、室内機側熱交換器１４を備え、冷媒配管として室内機配管１９ａ、１９ｂを備える。また、室内機側冷媒回路１０ｂには、継手部３２ｃ、３２ｄが設けられている。
室内機側熱交換器１４は、冷房運転時には蒸発器として機能し、暖房運転時には凝縮器として機能する熱交換器である。室内機配管１９ａは、室内機側熱交換器１４と延長配管１８ａとを接続するものであり、延長配管１８ａ側の端部に継手部３２ｄが設けられている。室内機配管１９ｂは、室内機側熱交換器１４と延長配管１８ｂとを接続するものであり、延長配管１８ｂ側の端部に継手部３２ｃが設けられている。
【００３６】
室内機送風手段２１は、室内機側熱交換器１４に対向して配置され、室内機側熱交換器１４に室外空気を送風するものである。室内機側熱交換器１４では、冷媒回路内部を流通する冷媒と室内機送風手段２１により送風された室内空気との熱交換が行われる。
また、室内機２の内部には、室内機側冷媒回路１０ｂ、室内機制御部６１に接続される温度センサ４０ｅ、圧力センサ４０ｆ等が設けられている。なお、これらのセンサは、空気調和装置１００の内部の種々の状態を検知するものであり、図１の空気調和装置１００では、室内機２に吸い込まれる室外空気の温度を検出する温度センサ４０ｅ、室内機側冷媒回路１０ｂ内部の圧力を検出する圧力センサ４０ｆを設けている。なお、室内機２内部に設けられるセンサはこれらに限るものではなく、空気調和装置１００の内部の種々の状態を検知するものであればよい、これらのセンサの検出結果は、空気調和装置１００を適切に制御するために用いられるとともに、空気調和装置１００の異常を検出するために用いられる。
【００３７】
次に、図２に基づいて室内機制御部６１の構成について説明する。
室内機制御部６１は室内機２の内部に設けられ、温度センサ４０ｅ、圧力センサ４０ｆ、冷媒漏洩センサ４１及び、室内機送風手段２１を含む空気調和装置１００を動作させるための室内機アクチュエータ２４が接続されている。
また、室内機制御部６１は、温度センサ４０ｅ及び圧力センサ４０ｆが接続される異常検出部６２と、冷媒漏洩センサ４１が接続される冷媒漏洩検出部６３と、通信部６４を備える。
【００３８】
異常検出部６２と冷媒漏洩検出部６３は通信部６４に接続されている。通信部６４は、室外機１の運転制御部５４と接続されており、室外機制御部５１と室内機制御部６１との間で相互に通信することができる。また、通信部６４は室内機アクチュエータ２４と、室内機表示部８１と接続されている。
【００３９】
次に、図４に基づいてリモコン８０の構成を説明する。図４は実施の形態１に係るリモコンの正面図である。
リモコン８０は、室内機表示部８１と、操作部８２を備える。室内機表示部８１は、通信部６４及び操作部８２と接続され、空気調和装置１００の運転状態等を表示する。操作部８２は使用者による操作を受け、操作に基づく操作信号を通信部６４に送信するものである。室内機表示部８１は、室外機表示部７０と同様の画面表示を行う。
【００４０】
以上のような空気調和装置１００においては、操作部８２からの操作信号や空気調和装置１００の内部の状態を検知するセンサ、冷媒漏洩センサ４１からの検出信号に基づき、室外機制御部５１の運転制御部５４が室外機アクチュエータ２３、室内機アクチュエータ２４を駆動制御することにより、空気調和装置１００全体として動作し、空気調和を行う。
【００４１】
次に、空気調和装置１００の動作を説明する。
まず、冷房運転時の冷媒回路の動作について説明する。図１において、実線矢印は冷房運転時の冷媒の流れ方向を示している。冷房運転では、冷媒流路切替装置１５により冷媒が流れる方向が実線で示すような方向となるように切り替えられ、室内機側熱交換器１４に低温低圧の冷媒が流れるようになる。
【００４２】
圧縮機１１から吐出された高温高圧のガス冷媒は冷媒流路切替装置１５を経てまず室外機側熱交換器１２へと流入する。冷房運転では、室外機側熱交換器１２は凝縮器として作用する。すなわち、室外機側熱交換器１２では、室外機送風手段２０により送風される室外空気と室外機側熱交換器１２の内部を流れる冷媒との熱交換が行われ、冷媒の凝縮熱が室外空気に放熱される。こうして室外機側熱交換器１２に流入した冷媒は、凝縮して高圧の液冷媒となる。高圧の液冷媒は減圧装置１３に流入し、減圧装置１３において断熱膨張されて低圧の二相冷媒となる。低圧の二相冷媒は、延長配管１８ｂを経由して室内機２の室内機側熱交換器１４に流入する。冷房運転では、室内機側熱交換器１４は蒸発器として機能する。すなわち、室内機側熱交換器１４では、内部を流通する冷媒と、室内機送風手段２１により送風される室内空気との熱交換が行われ、冷媒の蒸発熱が送風空気から吸熱される。これにより、室内機側熱交換器１４に流入した冷媒は、蒸発して低圧のガス冷媒又は二相冷媒となる。また、室内機送風手段２１により送風される空気は、冷媒の吸熱作用によって冷却される。室内機側熱交換器１４で蒸発した低圧のガス冷媒又は二相冷媒は、延長配管１８ａ及び冷媒流路切替装置１５を経由して圧縮機１１に吸入される。圧縮機１１に吸入された冷媒は、圧縮されて高温高圧のガス冷媒となる。冷房運転では、以上のサイクルが繰り返される。
【００４３】
次に、暖房運転時の冷媒回路の動作について説明する。図１において、点線矢印は、暖房運転時の冷媒の流れ方向を示している。暖房運転では、冷媒流路切替装置１５により冷媒が流れる方向が点線で示す方向となるように切替わり、これによって冷媒回路全体の冷媒の流れは点線で示す方向になる。したがって、暖房運転時は、冷媒は冷房運転時とは逆方向に冷媒が流れ、室内機側熱交換器１４に高温高圧の冷媒が流れ、室内機側熱交換器１４は凝縮器として機能する。すなわち、室内機側熱交換器１４では、室内機送風手段２１により送風される室内空気と室内機側熱交換器１４の内部を流れる冷媒との熱交換が行われ、冷媒の凝縮熱が室外空気に放熱される。これにより、室内機送風手段２１により送風される空気は、冷媒の放熱作用によって加熱される。
【００４４】
次に、室外機制御部５１及び室内機制御部６１の動作について説明する。
使用者が操作部８２の操作により空気調和装置１００の運転を開始させると、操作部８２から送信された操作信号が、通信部６４を介して室外機制御部５１の運転制御部５４に送信される。運転制御部５４は、操作信号に基づいて室外機１及び室内機２の運転を開始させる運転信号を室外機アクチュエータ２３、異常検出部５２、冷媒漏洩検出部５３、及び室内機２の通信部６４に送信する。運転制御部５４からの運転信号に基づき、空気調和装置１００は冷房運転または暖房運転を開始する。
【００４５】
空気調和装置１００の運転が開始されると、室外機１及び、室内機２に設けられた各センサ４０ａ〜４０ｆと冷媒漏洩センサ４１は、空気調和装置１００内部の状態を検知する。各センサ４０ａ〜４０ｆは検知した空気調和装置１００内部の状態を検知信号として異常検出部５２、６２に送信する。異常検出部５２、６２は、冷媒の漏洩以外の異常を検出するものであり、各センサから受信した検知信号が予め設定された閾値を超えた場合に、各センサ４０ａ〜４０ｆが設けられた部分に異常があることを検出する。
冷媒漏洩センサ４１は、冷媒漏洩センサ４１の周囲の空気中における冷媒濃度を検知して冷媒漏洩検出部５３、６３に検知信号を送信する。冷媒漏洩検出部５３、６３は、冷媒回路を流れる冷媒の漏洩を検出するものであり、冷媒漏洩センサ４１から受信した検知信号が予め設定された閾値を超えた場合に、冷媒漏洩があることを検出する。
【００４６】
室外機１の内部で異常が発生した場合、異常検出部５２は異常を検出して、異常情報を示す異常信号を運転制御部５４へ送信する。異常情報とは、異常を検出したこと及び、どこのセンサからの検知信号に基づいて異常を検出したかを含む情報である。運転制御部５４は異常検出部５２から異常信号を受信することにより、異常が発生していること及び異常が発生している部分についての情報を得ることができる。
【００４７】
室外機１の内部で冷媒漏洩が発生した場合、冷媒漏洩検出部５３は冷媒漏洩を検出して、冷媒漏洩情報を示す信号である冷媒漏洩信号を運転制御部５４へ送信する。冷媒漏洩情報とは、冷媒漏洩を検出したこと及び、どこの冷媒漏洩センサ４１からの検知信号に基づいて冷媒漏洩を検出したかを含む情報である。運転制御部５４は冷媒漏洩検出部５３から冷媒漏洩信号を受信することにより、冷媒漏洩が発生していること及び冷媒漏洩が発生している部分についての情報を得ることができる。
【００４８】
室内機２の内部で異常が発生した場合、異常検出部６２は異常信号を通信部６４へ送信し、異常信号を受信した通信部６４は異常信号を室外機１の運転制御部５４に送信する。
室外機１の内部で冷媒漏洩が発生した場合、冷媒漏洩検出部６３は冷媒漏洩信号を通信部６４へ送信し、冷媒漏洩信号を受信した通信部６４は冷媒漏洩信号を室外機１の運転制御部５４に送信する。
【００４９】
運転制御部５４は、異常信号または冷媒漏洩信号を受信すると、室外機アクチュエータ２３に運転を停止させる停止信号を送信し、室内機２の通信部６４を介して室内機アクチュエータ２４に運転を停止させる停止信号を送信する。つまり、室外機１または室内機２の内部で異常または冷媒漏洩が発生すると、室外機制御部５１の運転制御部５４が室内機アクチュエータ２４、室内機アクチュエータ２４を停止制御することにより、空気調和の動作が停止される。
なお、空気調和の動作が停止された場合でも、各センサ４０ａ〜４０ｆ、冷媒漏洩センサ４１、室外機制御部５１、室内機制御部６１、室外機表示部７０、リモコン８０は駆動しているため、異常の検出、冷媒漏洩の検出、リモコン８０の操作は可能である。
【００５０】
運転制御部５４は、異常信号または冷媒漏洩信号を受信すると、受信した異常信号または冷媒漏洩信号を表示制御部５７に送信する。
【００５１】
次に、図５から図８に基づいて室外機制御部５１の表示制御部５７における動作及び、室外機表示部７０、室内機表示部８１の表示方法を説明する。図５は、表示制御部５７で実行される表示制御処理を示すフローチャート、図６から図８は室外機表示部７０における表示画面の例を示す説明図である。
表示制御部５７はステップＳ１で運転制御部５４から異常信号または冷媒漏洩信号を受信すると、ステップＳ２において記録部５５に異常情報または冷媒漏洩情報を記録するとともに、受信した信号に基づいて冷媒漏洩があるか否かを確認する。冷媒漏洩があるか否かとは、冷媒漏洩検出部５３が冷媒の漏洩を検出した状態であるか否かを示す。冷媒漏洩検出部５３が冷媒の漏洩を検出した状態とは、冷媒漏洩検出部５３が冷媒の漏洩を検出してから、サービス業者が修理するまで、あるいはサービス業者が室外機表示部７０及び室内機表示部８１の表示をリセットするまでの状態である。
【００５２】
ステップＳ２で表示制御部５７が、冷媒漏洩が無いと判断した場合、ステップＳ３に進む。ステップＳ３で表示制御部５７は予め記録された異常コードテーブルを参照して、異常に対応した異常コードを決定する。異常コードが決定されると、表示制御部５７は室外機表示部７０及び室内機表示部８１の画面を運転状態表示画面から異常表示画面に切り替える信号を送信する。また、表示制御部５７は、状態表示領域９０に異常コードを表示させる信号及び、異常が発生している部分を異常発生元表示領域に表示させる信号を、室外機表示部７０及び室内機表示部８１に送信する。これらの信号を室内機表示部８１に送信する場合は、室内機２側の通信部６４を介して信号が送信される。異常を状態表示領域９０に表示させる信号を受信した室外機表示部７０及び室内機表示部８１には、状態表示領域９０に異常コードが表示され、異常発生元表示領域９４に異常が発生している部分が表示される。この場合の表示画面例を図６に示す。例えば、室内機において異常コードＢの異常が発生した場合、第１表示領域９１には異常コード「Ｂ」が表示され、異常発生元表示領域９４には「室内機」が表示される。
【００５３】
ステップＳ２で表示制御部５７が、冷媒漏洩があると判断した場合、ステップＳ４へ進み、ステップＳ４で冷媒漏洩と共に異常があるかどうかを確認する。冷媒漏洩と共に異常があるかどうかとは、冷媒漏洩検出部５３が冷媒の漏洩を検出した状態であると共に異常検出部５２が異常を検出した状態であるかどうかということである。異常検出部５２が冷媒の漏洩を検出した状態とは、異常検出部５２が異常を検出してからサービス業者が修理していない状態、あるいはサービス業者が室外機表示部７０及び室内機表示部８１の表示をリセットしていない状態である。
【００５４】
ステップＳ４で表示制御部５７が、冷媒漏洩と共に異常が無いと判断した場合、表示制御部５７は予め記録された異常コードテーブルを参照して、冷媒漏洩に対応した異常コードを決定する。また、ステップＳ２において、記録部５５に冷媒漏洩の情報が記録されたときからの経過時間をタイマーを用いて算出し、記録部５５に経過時間を記録させる。
【００５５】
異常コードが決定されると、表示制御部５７は室外機表示部７０及び室内機表示部８１の画面を運転状態表示画面から異常表示画面に切り替える信号を送信する。また、表示制御部５７は、状態表示領域９０に異常コードを表示させる信号、冷媒漏洩が発生している部分を異常発生元表示領域に表示させる信号、及び、タイマー５６に計時された経過時間を表示させる信号を、室外機表示部７０及び室内機表示部８１に送信する。これらの信号を室内機表示部８１に送信する場合、室内機２側の通信部６４を介して信号が送信される。
表示制御部５７からの信号を受信した室外機表示部７０及び室内機表示部８１は、ステップＳ５で状態表示領域９０に異常コードが表示され、異常発生元表示領域９４に冷媒漏洩が発生している部分が表示され、時間表示領域９３に冷媒漏洩が発生してからの経過時間が表示される。この場合の表示画面例を図７に示す。例えば、室内機において冷媒漏洩が発生してから８時間３０分が経過している場合、第１表示領域９１には異常コード「Ａ」が表示され、異常発生元表示領域９４には「室内機」が表示され、時間表示領域９３には経過時間「８：３０」が表示される。
【００５６】
ステップＳ４で表示制御部５７が、冷媒漏洩と共に異常があると判断した場合、表示制御部５７は予め記録された異常コードテーブルを参照して、冷媒漏洩に対応した異常コード及び、異常に対応した異常コードを決定する。また、ステップＳ４において、記録部５５に冷媒漏洩の情報が記録されたときからの経過時間をタイマーを用いて算出し、記録部５５に経過時間を記録させる。
【００５７】
異常コードが決定されると、表示制御部５７は室外機表示部７０及び室内機表示部８１の画面を運転状態表示画面から異常表示画面に切り替える信号を送信する。また、表示制御部５７は、状態表示領域９０に異常コードを表示させる信号、冷媒漏洩が発生している部分を異常発生元表示領域に表示させる信号、及び、タイマー５６に計時された経過時間を表示させる信号を、室外機表示部７０及び室内機表示部８１に送信する。室内機表示部８１に送信する場合、通信部６４を介して室内機２側に信号が送信される。
表示制御部５７からの信号を受信した室外機表示部７０及び室内機表示部８１は、ステップＳ６で状態表示領域９０に異常コードが表示され、異常発生元表示領域９４に冷媒漏洩が発生している部分が表示され、時間表示領域９３に冷媒漏洩が発生してからの経過時間が表示される。この場合の表示画面例を図８に示す。例えば、室内機において冷媒漏洩および異常コードＢの異常が発生している状態であり、冷媒漏洩が発生してから８時間３０分が経過している場合、第１表示領域９１には異常コード「Ａ」、第２表示領域９２には異常コード「Ｂ」が表示される。また、異常発生元表示領域９４には「室内機」が表示され、時間表示領域９３には経過時間「８：３０」が表示される。
【００５８】
ステップＳ３、ステップＳ５、ステップＳ６において室外機表示部７０及び室内機表示部８１に異常が表示されると、ステップＳ１へ戻り、ステップＳ１からステップＳ６までの動作を繰り返す。
【００５９】
使用者は、室外機表示部７０または室内機表示部８１の異常表示画面を確認することで異常を認識し、サービス業者へ修理を依頼することができる。サービス業者は使用者から、表示されている異常コードを聞いて空気調和装置１００の状態を把握し、処置に必要な器具を予め備えてから修理へ向かうことができる。
【００６０】
異常コードの表示の解除は、サービス業者が適切な処置を行って空気調和装置１００の電源を入れなおした場合に可能である。サービス業者が適切な処置を行うまでは、リモコン８０の操作等によって異常コードの表示を解除することはできないようにすれば、不用意な操作で異常コードが表示されなくなってしまうことを防げる。
【００６１】
以上のような実施の形態１に係る空気調和装置１００によれば、冷媒漏洩検出部５３が冷媒の漏洩を検出した状態であると共に、異常検出部５２が異常を検出した状態である場合、表示制御部５７が、冷媒漏洩状態と異常状態とを室外機表示部７０及び室内機表示部８１に表示させるため、使用者が冷媒漏洩と異常状態とを同時に確認することができる。使用者が冷媒漏洩と異常状態とをサービス業者に連絡することができるため、サービス業者は冷媒漏洩と異常状態を修理前に確認して、冷媒漏洩に対する処置を実施する際に異常状態の処置を同時にすることができる。
また、サービス業者は冷媒漏洩と異常状態を修理前に確認することができるため、予め修理に必要な器具等を準備して修理現場に向かうこと可能であり、効率的に作業を行うことができる。
また、冷媒漏洩状態と異常は１つの表示画面に表示されるため、使用者は容易に冷媒漏洩と異常状態とを確認することができる。
【００６２】
なお、図６では１つの異常が発生した場合を示したが、複数の異常が発生している状態である場合には第１表示領域９１及び第２表示領域９２に異常コードを表示するようにしてもよい。また、実施の形態１では、状態表示領域９０が表示領域を２つ有する場合を示したが、２つ以上の表示領域を設ける構成としてもよい。２つ以上の表示領域を設けることで、２以上の異常状態がある場合または、２以上の異常状態であると共に冷媒漏洩状態である場合に、２つ以上の状態を表示することができるため、空気調和装置１００における運転状態を詳細に把握することができる。
【００６３】
また、図８では第１表示領域９１に冷媒漏洩に対応する異常コード「Ａ」を表示し、第２表示領域９２に異常状態に対応する異常コード「Ｂ」を表示するものを示したが、冷媒漏洩がある場合に必ず冷媒漏洩を確認できる表示がされていればよく、第１表示領域９１に異常状態に対応する異常コード「Ｂ」を表示し、と第２表示領域９２に冷媒漏洩に対応する異常コード「Ａ」を表示してもよい。また、第１表示領域９１と第２表示領域９２は左右に配置されるものを示したが、１つの画面で冷媒漏洩と異常状態とを確認することができる構成であればよく、上下に配置してもよい。
【００６４】
時間表示領域９３に表示される時間は時間の経過とともに逐次更新していくものである。
なお、時間表示領域９３に表示される時間は、冷媒漏洩が発生してからの経過時間としたが、冷媒漏洩の発生時刻を表示するものでもよい。また、異常状態が発生してからの経過時間または異常状態が発生した時刻を表示させてもよい。これにより、サービス業者は空気調和装置１００で発生した異常状態と冷媒漏洩の履歴を確認することができ、空気調和装置１００の故障状態を詳しく把握した上で効率的に修理作業を行うことができる。
また、異常発生元表示領域９４には異常が発生している部分を表示すればよく、例えば「室内機の継手部」「室外機の延長配管接続バルブ」等、具体的に異常が発生している部分を表示するものでもよい。これにより、サービス業者は修理すべき部分を把握することができ、効率的に修理を行うことができる。
また、実施の形態１では、冷媒漏洩または異常状態に対応する異常コードを状態表示領域９０に表示するものとしたが、冷媒漏洩または異常状態が認識できるような表示をすればよく、文字で表示してもよい。
【００６５】
実施の形態２．
図９から図１１は実施の形態２に係る空気調和装置１００の室外機表示部７０における表示画面の例を示す説明図である。実施の形態２では、実施の形態１との相違点を中心に説明し、実施の形態１と同一部分には同一符号を付して説明を省略するものとする。
【００６６】
実施の形態１では、１つの異常表示画面の状態表示領域９０に冷媒漏洩状態と異常状態とを個別に表示する第１表示領域９１と第２表示領域９２を設ける構成としたが、実施の形態２では、異常状態と共に冷媒漏洩がある場合に、冷媒漏洩状態と異常状態とを一つの領域で表示する例を説明する。具体的には、異常状態を文字で表示させると共に、当該文字の表示方法を、異常状態のみの場合、すなわち異常状態であると共に冷媒漏洩検出部６３が冷媒の漏洩を検出していない場合の表示方法と異なる表示方法にすることにより冷媒漏洩状態を認識できるようにするものである。異なる表示方法とは、例えば、異常状態のみのときには異常状態を示す文字を継続して表示する表示方法であったとすれば、冷媒漏洩状態と異常状態とが共に検出されている場合には異常状態を示す文字を継続して表示する表示方法ではなく、文字を点滅させる表示方法に変更するということである。
【００６７】
以下、図５及び図９から図１２に基づいて、異常状態を文字で表示し、冷媒漏洩を異常状態を表示する文字を点滅させる表示方法の例について説明する。
【００６８】
まず、ステップＳ３における表示方法を説明する。表示制御部５７がステップＳ２で冷媒漏洩が無いと判断した場合、表示制御部５７は、状態表示領域９０に異常状態を文字で表示させる信号及び、異常が発生している部分を異常発生元表示領域に表示させる信号を、室外機表示部７０及び室内機表示部８１に送信する。異常状態を状態表示領域９０に表示させる信号を受信した室外機表示部７０及び室内機表示部８１には、ステップＳ３において、状態表示領域９０に異常状態が表示され、異常発生元表示領域９４に異常が発生している部分が表示される。この場合の表示画面例を図９に示す。例えば、室内機において圧力センサ異常が発生した場合、第１表示領域９１には「圧力センサ異常」という文字が継続して表示され、異常発生元表示領域９４には継続して「室内機」が表示される。
【００６９】
次に、ステップＳ５における表示方法を説明する。表示制御部５７がステップＳ４で冷媒漏洩と共に異常が無いと判断した場合、表示制御部５７は、状態表示領域９０に冷媒漏洩状態を文字で表示させる信号及び、冷媒漏洩が発生している部分を異常発生元表示領域に表示させる信号を、室外機表示部７０及び室内機表示部８１に送信する。冷媒漏洩状態を状態表示領域９０に表示させる信号を受信した室外機表示部７０及び室内機表示部８１には、ステップＳ５において、状態表示領域９０に冷媒漏洩状態が表示され、異常発生元表示領域９４に異常が発生している部分が表示される。この場合の表示画面例を図１０に示す。例えば、室内機において冷媒漏洩が発生した場合、第１表示領域９１には「冷媒漏洩」という文字が表示され、異常発生元表示領域９４には「室内機」が表示される。
【００７０】
次に、ステップＳ６における表示方法を説明する。表示制御部５７がステップＳ４で冷媒漏洩と共に異常ありと判断した場合、表示制御部５７は、状態表示領域９０に異常状態を点滅する文字で表示させる信号及び、異常状態と冷媒漏洩が発生している部分を異常発生元表示領域に表示させる信号を、室外機表示部７０及び室内機表示部８１に送信する。異常状態を点滅する文字で状態表示領域９０に表示させる信号を受信した室外機表示部７０及び室内機表示部８１には、ステップＳ６において状態表示領域９０に異常状態が点滅する文字で表示され、異常発生元表示領域９４に異常状態及び冷媒漏洩が発生している部分が表示される。この場合の表示画面例を図１１及び図１２に示す。図１１は異常状態が表示されている表示画面を説明する図、図１２は異常状態が消えている表示画面を説明する図である。異常状態の点滅表示は、図１１と図１２の状態を交互に繰り返すものである。例えば、室内機において圧力センサ異常と冷媒漏洩が発生した場合、第１表示領域９１には「圧力センサ異常」という文字が点滅して表示され、異常発生元表示領域９４には「室内機」が表示される。
【００７１】
以上のような実施の形態２に係る空気調和装置１００によれば、冷媒漏洩状態であると共に異常状態である場合、１つの状態表示領域９０に異常状態を文字で表示すると共に、当該文字を点滅する表示方法にする。これにより、使用者は異常状態の文字の表示方法をサービス業者に報告することができ、サービス業者は冷媒漏洩と異常状態とを把握することができる。
また、文字が点滅しているため、点滅していないときよりも使用者の目に留まり易く冷媒漏洩状態であることを早くか把握することができる。
また、異常状態は文字で表示されるため、使用者は発生している異常状態の内容を把握することができる。
また、冷媒漏洩と異常状態とを同じ領域内に表示することができるため、面積が限られた室外機表示部７０及び室内機表示部８１における状態表示領域を有効に利用することができる。
【００７２】
なお、この実施の形態２では、異常状態を文字で表示し、この文字の表示方法を異常状態のみの場合の継続的表示と異なる点滅表示とすることで冷媒漏洩状態を認識できるようにしたが、冷媒漏洩を文字で表示し、冷媒漏洩以外に異常状態があれば文字を点滅表示するようにしてもよい。ただし、この場合、どのような異常状態かを認識するためには、異常状態の種類ごとに、異なる表示方法を設定しておく必要がある。
また、冷媒漏洩状態がある場合の文字の表示方法は点滅表示の他、文字の色を変更する表示、あるいは文字の背景を点滅させる表示でも良い。文字の色を変更することで、使用者の目に留まり易く冷媒漏洩状態であることを早く把握することができ、文字の背景を点滅させることで、より広い面積が点滅して認識し易くなる。さらに、冷媒漏洩を文字で表示して、異常状態を文字の色を変更することにより表示する場合には、異常状態に対応する色を設定することにより、複数の異常状態を表示することができる。
また、状態表示領域９０に１つの異常状態を表示するものとしたが、状態表示領域９０に複数の異常状態を文字で表示させると共に文字を点滅させる又は色を変更することにより冷媒漏洩を表示するものでもよい。
また、文字で表示される異常状態または冷媒漏洩状態を、異常コードで表示させるものでもよい。
【００７３】
実施の形態３．
実施の形態１では、異常状態の種類によらず冷媒漏洩状態と異常状態とを表示するものであったが、実施の形態３では、異常状態のうち冷媒漏洩に関連する異常状態と冷媒漏洩に関連しない異常状態がある場合には、冷媒漏洩に関連する異常状態を優先して表示するものである。実施の形態３では、実施の形態１との相違点を中心に説明し、実施の形態１と同一部分には同一符号を付して説明を省略するものとする。この実施の形態３における記録部５５に記録された異常状態テーブルには、各異常状態に対し、冷媒漏洩に関連する異常状態か否か、あるいは冷媒に関連する度合いが記録されている。
【００７４】
実施の形態３では、図５のステップＳ４で表示制御部５７が、冷媒漏洩と共に異常状態があると判断した場合の動作について説明する。ステップＳ４で表示制御部５７が、冷媒漏洩と共に異常状態があると判断した場合、表示制御部５７は記録部５５に予め記録された異常状態テーブルを参照して、異常検出部５２が検出した異常状態が冷媒漏洩に関連する異常状態であるかを判断する。冷媒漏洩に関連する異常状態とは、冷媒回路における異常状態であり、例えば冷媒回路における温度異常及び圧力異常、構成する圧縮機１１や減圧装置１３に流れる電流異常等である。
冷媒漏洩に関連する異常状態以外の異常状態には、例えば室外機制御部５１と室内機制御部６１との通信異常、室外機送風手段２０及び室内機送風手段２１の故障等、直接冷媒回路に接続されていない部分についての異常状態である。
【００７５】
検出された異常状態が冷媒漏洩に関連する異常状態であると判断されると、表示制御部５７は、状態表示領域９０に冷媒漏洩に関連する異常状態を優先して表示させる信号及び、冷媒漏洩が発生している部分を異常発生元表示領域に表示させる信号を送信する。
表示制御部５７からの信号を受信した室外機表示部７０及び室内機表示部８１は、ステップＳ６で状態表示領域９０に冷媒漏洩に関連する異常状態が表示され、異常発生元表示領域９４に冷媒漏洩が発生している部分が表示される。
【００７６】
また、検出された異常状態が冷媒漏洩に関連する異常状態ではないと判断された場合は、優先的に表示させる異常状態ではないため、仮にこの異常状態を検出する前に、冷媒漏洩に関連する異常状態を表示していた場合は、それを優先して表示し、冷媒漏洩に関連する異常状態を表示していなかった場合には、直近に検出された異常状態を表示させる信号を表示制御部５７から状態表示領域９０に送信する。これにより、冷媒漏洩と共に冷媒漏洩と関連する異常状態以外の異常状態がある場合には、冷媒漏洩及び冷媒漏洩と関連する異常状態以外の異常状態が表示される。
【００７７】
以上のような実施の形態３に係る空気調和装置１００によれば、冷媒漏洩検出部５３が冷媒の漏洩を検出した状態であると共に、異常検出部５２が冷媒漏洩に関連する異常状態を検出した場合に、冷媒の漏洩状態と共に冷媒漏洩に関連する異常状態を優先して室外機表示部７０及び室内機表示部８１に表示させることができる。冷媒漏洩に関連する異常状態に対処するためには、冷媒回路から全ての冷媒を取り除いて処置を行い、改めて冷媒を注入する作業が必要になる場合があるが、以上のように表示することで、冷媒漏洩に関連する異常状態が優先的に表示されるため、冷媒漏洩に関連しない異常状態よりも優先して冷媒漏洩に関連する異常状態を把握して、冷媒漏洩に対する処置を実施する際に異常状態の処置をすることができ、１つの処置毎に冷媒を取り除いて再度注入する必要がない。したがって、作業時間を短縮できると共に冷媒の使用量を低減することができる。
【００７８】
冷媒漏洩に関連する異常状態以外の異常状態は、冷媒漏洩に対する処置を実施した後に異常状態が表示されても冷媒が冷媒回路に注入された状態で処置することができるため、冷媒漏洩及び冷媒漏洩に関連する異常状態への対処が完了した後に表示されればよい。
【００７９】
また、冷媒漏洩に関連する異常状態として、冷媒回路において部品交換が必要である異常状態を表示するよう予め設定すれば、サービス業者は予め必要な部品を準備して、処置する手順を事前に把握してから作業を開始することができる。
【００８０】
また、冷媒漏洩に関連する異常状態を表示させるため、室外機表示部７０及び室内機表示部８１に表示可能な数以上の異常状態が発生した場合に、冷媒漏洩に関連する異常状態を優先して表示することができる。
なお、以上の説明では、異常状態が冷媒漏洩に関連するかしないかを判断していたが、異常状態ごとに冷媒漏洩に関連する度合いを記録しておき、この度合いに応じて優先表示するようにしてもよい。
【００８１】
実施の形態４．
図実施の形態１から３では、１つの室外機１に１つの室内機２が接続された空気調和装置１００であったが、実施の形態４では、１つの室外機１に複数の室内機２が接続された空気調和装置２００である。実施の形態４では、実施の形態１との相違点を中心に説明し、実施の形態１と同一部分には同一符号を付して説明を省略するものとする。
【００８２】
図１３は実施の形態４における空気調和装置の概略構成を示す構成図である。
空気調和装置２００は、室外機１と複数の室内機２を備え、室外機１及び室内機２、異なる室内機２同士は冷媒を循環させる冷媒配管により接続されている。実施の形態１に係る空気調和装置１００では室外機側冷媒回路１０ａに減圧装置１３が設けられる構成であったが、空気調和装置２００では減圧装置１３が各室内機２に設けられている構成を示す。つまり、室外機側冷媒回路１０ａは、圧縮機１１と、室外機側熱交換器１２と、冷媒流路切替装置１５とを備え、冷媒配管として吸入配管１６ａと、吐出配管１６ｂと、室外機配管１７ａ、１７ｂを備える。また、室内機側冷媒回路１０ｂは、室内機側熱交換器１４と減圧装置１３を備え、冷媒配管として室内機配管１９ａ、１９ｂを備える。
【００８３】
各室内機２には室内機制御部６１が設けられており、それぞれの室内機制御部６１にリモコン８０が接続されている。各室内機２の室内機制御部６１は通信部６４を介して相互に電気的に接続されている。少なくとも１つの室内機制御部６１は室外機制御部５１と接続されているため、全ての室内機２は室外機１と電気的に接続されている。
【００８４】
次に空気調和装置２００の動作を説明する。運転制御部５４は、異常信号または冷媒漏洩信号を受信すると、室外機アクチュエータ２３に運転を停止させる停止信号を送信し、室内機２の通信部６４を介して室内機アクチュエータ２４に運転を停止させる停止信号を送信する。つまり、室外機１または室内機２の内部で異常または冷媒漏洩が発生すると、室外機制御部５１の運転制御部５４が室内機アクチュエータ２４、全ての室内機２の室内機アクチュエータ２４を停止制御することにより、空気調和の動作が停止される。
【００８５】
冷媒漏洩検出部５３が冷媒の漏洩を検出した状態であると共に、異常検出部５２が異常を検出した状態である場合、表示制御部５７が、冷媒漏洩状態と異常状態とを室外機表示部７０及び全ての室内機表示部８１に表示させる信号を送信する。表示制御部５７からの信号を受信した室外機表示部７０及び全ての室内機表示部８１は、状態表示領域９０に冷媒漏洩状態と共に異常状態が表示される。
【００８６】
以上のような実施の形態４に係る空気調和装置２００によれば、冷媒漏洩検出部５３が冷媒の漏洩を検出した状態であると共に、異常検出部５２が異常を検出した状態である場合、表示制御部５７が、冷媒漏洩状態と異常状態とを室外機表示部７０及び全ての室内機表示部８１に表示させる信号を送信するため、各室内機２に接続された室内機表示部８１において空気調和装置２００における冷媒漏洩及び異常状態を確認することができる。
また、複数の場所に各室内機２のリモコン８０を設置することができるため、冷媒漏洩又は異常状態がある場合に、複数の場所で確認することができる。
【００８７】
なお、実施の形態１〜４では運転制御部５４及び表示制御部５７は室外機制御部５１に設けられるものであったが、室外機１と室内機２の運転を制御する構成であれば、室内機制御部６１に設けられる構成または室外機制御部５１及び室内機制御部６１それぞれに設けられる構成でもよい。特に、実施の形態４のように１つの室外機１に複数の室内機２が接続される場合、各室内機２を運転制御するための運転制御部５４を各室内機制御部６１に設けることにより、室外機制御部５１及び室内機制御部６１の回路を容易に設計することができる。また、運転制御部５４及び表示制御部５７は室外機１及び室内機２と通信できる構成であればよく、室外機制御部５１及び室内機制御部６１以外の制御部に設けられてもよい。例えば、リモコン８０側に設ける構成、外部機器に設けて通信させる構成としてもよい。
【００８８】
また、表示制御部５７は室外機表示部７０と室内機表示部８１に同じ内容を表示させるものとしたが、室外機１及び各室内機２で異なる表示をさせるものでも良い。例えば、室外機１及び室内機２において異常状態がある場合、室外機表示部７０では室外機１における異常状態を表示させ、室内機表示部８１では室内機２における異常状態を表示させるものでも良い。これにより、室外機表示部７０または室内機表示部８１が接続された室外機１または各室内機２の異常状態を優先的に把握することができる。
【００８９】
また、表示制御部５７は室外機１及び室内機２と接続された室外機表示部７０及び室内機表示部８１に表示させるものを示したが、空気調和装置１００及び空気調和装置２００の冷媒漏洩及び異常状況をユーザが把握できるように表示させるものであればよく、表示部としての携帯端末などの外部機器へ表示させるものであってもよい。これにより、使用者は室外機表示部７０及び室内機表示部８１から離れた場所から冷媒漏洩及び異常状態を把握することができる。
【産業上の利用可能性】
【００９０】
本発明に係る空気調和装置は、家庭用、業務用等の空気調和装置として広く利用することができる。
【符号の説明】
【００９１】
１  室外機、２  室内機、１０ａ  室外機側冷媒回路１０ｂ  室内機側冷媒流路、１１  圧縮機、１２  室外機側熱交換器、１３  減圧装置、１4  室内機側熱交換器、１５  冷媒流路切替装置、１６ａ  吸入配管、１６ｂ  吐出配管、１７ａ、１７ｂ、１７ｃ  室外機配管、１８ａ、１８ｂ  延長配管、１９ａ、１９ｂ  室内機配管、２０  室外機送風手段、２１  室内機送風手段、２３  室外機アクチュエータ、２４  室内機アクチュエータ、３０ａ、３０ｂ  延長配管接続バルブ、３１ａ、３１ｂ、３１ｃ  サービス口、３２ａ、３２ｂ、３２ｃ  継手部  ４０ａ  温度センサ、４０ｂ  電流センサ、４０ｃ、４０ｄ  圧力センサ、４１  冷媒漏洩センサ、５１  室外機制御部、５２  異常検出部、５３  冷媒漏洩検出部、５４  運転制御部、５５  記録部、５６  タイマー、５７  表示制御部、６１  室内機制御部、６２  異常検出部、６３  冷媒漏洩検出部、６４  通信部、７０  室外機表示部、８０  リモコン、８１  室内機表示部、８２  操作部、９０  状態表示領域、９１  第１表示領域、９２  第２表示領域、９３  時間表示領域、９４  異常発生元表示領域
【図１】
0006758421.tif 000002
【図２】
0006758421.tif 000003
【図３】
0006758421.tif 000004
【図４】
0006758421.tif 000005
【図５】
0006758421.tif 000006
【図６】
0006758421.tif 000007
【図７】
0006758421.tif 000008
【図８】
0006758421.tif 000009
【図９】
0006758421.tif 000010
【図１０】
0006758421.tif 000011
【図１１】
0006758421.tif 000012
【図１２】
0006758421.tif 000013
【図１３】
0006758421.tif 000014